(57)【要約】【課題】枠体に設けた開閉装置により障子を開放位置と閉鎖位置に移動し、閉鎖位置で施錠できるようにした障子の開口部装置において、構成が簡単で調整が容易にできる装置を提供する。【解決手段】カム孔１６を有するカムアーム１４の一端を枠体側に枢着する。障子側アーム２５は、一端がカムアーム１４に枢着され、他端が障子に枢着される。カムアームは枠体側に設けたクランク１０で回動され、連結軸４３を介して連動してスライドするシュウ２３には、障子側アーム２５の先端に設けた障子側係合部３７と係合するシュウ側係合部４５が設けられている。上記カム孔は、障子を回動させる際連結軸が摺動する円弧部１７と、施解錠の際、障子を移動させずに上記シュウを移動させるよう連結軸が摺動する直線部１８を有する。【選択図】図１
2019127691.tif 000002
【特許請求の範囲】
【請求項１】
操作ハンドルと該操作ハンドルにより回動するクランクを有し枠体側に取り付けられるハンドル装置と、
カム孔を有し基端を上記ハンドル装置側に枢着したカムアームと、
該カムアームに一端を枢着し他端が障子に枢着される障子側アームと、
枠体側に摺動可能に設けられるシュウと、
該シュウの一端側に設けられ上記クランクに設けた長孔とカムアームのカム孔に連通する連結軸と、
上記シュウの他端側に設けられたシュウ側係合部と、
上記障子側アームに設けられた障子側係合部を具備し、
上記操作ハンドルを操作してクランク及びカムアームを回動させた際、カムアームを介して障子側アームを回動して障子を開放位置若しくは閉鎖位置に移動させ、障子が閉鎖位置に移動する際シュウの移動により上記シュウ側係合部と障子側係合部を係合し、障子を開放する際シュウを移動させて上記シュウ側係合部と障子側係合部の係合を離脱するようにしたことを特徴とする
障子の開口部装置。
【請求項２】
上記カムアームのカム孔は、シュウが移動する際カムアームを回動させずにシュウを移動できるようシュウの移動方向に沿って開口する直線部と、カムアームの回動を許容するよう弧状に開口する円弧部を有する請求項１に記載の障子の開口部装置。
【請求項３】
上記ハンドル装置は、操作ハンドルを収納するケースを有し、該ケースの側面には枠体側ブラケットが固着され、上記カムアームの基端は該枠側ブラケットに枢着されている請求項１に記載の障子の開口部装置。
【請求項４】
上記シュウ側係合部は、鈎状に形成され、障子側係合部はピン状に形成されている請求項１に記載の障子の開口部装置。
【請求項５】
上記鈎状の係合部はＵ字状の溝に形成され、該溝を形成する外方の部片の内側面は側方に傾斜する傾斜面が設けられている請求項４に記載の障子の開口部装置。
【請求項６】
上記障子側アームの一端には、該障子側アームをカムアームに枢着する軸に着脱可能に係合する切欠溝が形成され、該切欠溝の開口部を塞ぐ爪片を有するロックプレートが該障子側アームに枢着されている請求項１に記載の障子の開口部装置。
【請求項７】
上記障子側アームには取付ブラケットが枢着され、該取付ブラケットは障子に固定するための取付孔を有する起立部と障子側アームを枢着するための平面部を有する請求項１に記載の障子の開口部装置。
【請求項８】
上記請求項１〜７のいずれかに記載の開口部装置を有する障子
【発明の詳細な説明】
【技術分野】
【０００１】
本発明は、枠体にヒンジにより開閉自在に取り付けた障子を、戸先側の枠体と障子の框間に設けた装置により開閉、施解錠できるようにした障子の開口部装置に関するものである。
【背景技術】
【０００２】
室内側に設けた開閉装置の操作により障子を開閉したり、施錠できるようにした開口部装置が知られている（例えば特許文献１、２参照）。特許文献１に記載の装置は、枠体に開閉装置（オペレータ）を設け、該開閉装置により回動する操作アームの先端を、開閉アームに形成した長孔に摺動可能に係合してある。この開閉アームは、基端を枠体側に枢着してあり、先端を障子に設けた障子側ブラケットの長孔に摺動可能に係合している。上記操作アームの上記先端には連動アームの一端が枢着され、該連動アームの他端は、スライド体に枢着され、該スライド体は枠体に設けたガイド部材に嵌合し、該ガイド体に沿って摺動する。上記スライド体には鈎状掛止片が設けられており、上記障子側ブラケットには掛止ピンが設けられている。開閉装置により障子が閉鎖位置に移動するとき、連動アームに押されてスライド体が移動し、閉鎖位置に移動してきた障子側ブラケットの掛止ピンと鈎状掛止片が係合して障子を閉鎖位置で施錠している。上記特許文献１に記載の装置では、枠体側と障子側に、それぞれ摺動部を設けなければならないので、機構が複雑になり、かつ障子側及び枠体側それぞれの摺動部での遊びが大きくなるので、閉じ動作と施錠動作の調整がむずかしい。
【０００３】
特許文献２に記載の装置は、障子側に摺動部材を設け、操作部の把手を回動して障子を閉鎖した際、この摺動部材に設けた係合突起が枠体側に設けた係合離脱部材に係合して障子の気密水密をするように構成されているが、このような係合状態にするには、障子に対し障子側連動部材を斜め方向に引き寄せながら摺動部材を障子の框に沿って移動させることになるので、摺動部材を介して障子及びその丁番部分には横方向に力が作用し、好ましくない。また、係合部材が係合する上記係合離脱部材は、操作部から全く独立した部材であり、現場で障子を開閉しつつ係合突起の位置を確認しながら枠体の縦枠の見付け方向内側に上下方向に並べて取り付けなければならない。そのため、予め開口部装置を組み立てた状態で全体の調整をすることができず、作業性がよくない。係合離脱部材の取付状態が正しくないと、施錠の確実性を保証することがむずかしい。
【先行技術文献】
【特許文献】
【０００４】
【特許文献１】特開２００９-１５５９６５号公報(特許請求の範囲、図１、図４)
【特許文献２】特開２００８-７５４２０号公報(特許請求の範囲、図５、図８)
【発明の概要】
【発明が解決しようとする課題】
【０００５】
本発明は、摺動部分を障子側に設けずに、簡単な構成で組み立て及び調整が容易であり、確実に施錠できるようにした障子の開口部装置を提供することである。
【課題を解決するための手段】
【０００６】
本発明によれば、操作ハンドルと該操作ハンドルにより回動するクランクを有し枠体側に取り付けられるハンドル装置と、カム孔を有し基端を上記ハンドル装置側に枢着したカムアームと、該カムアームに一端を枢着し他端が障子に枢着される障子側アームと、枠体側に設けられるガイドトラックに摺動可能に嵌合するシュウと、該シュウの一端側に設けられ上記クランクに設けた長孔とカムアームのカム孔に連通する連結軸と、上記シュウの他端側に設けられたシュウ側係合部と、上記障子側アームの先端に設けられた障子側係合部を具備し、
上記操作ハンドルを操作してクランク及びカムアームを回動させた際、カムアームを介して障子側アームを回動して障子を開放位置若しくは閉鎖位置に移動させ、障子が閉鎖位置に移動する際シュウの移動により上記シュウ側係合部と障子側係合部を係合し、障子を開放する際シュウを移動させて上記シュウ側係合部と障子側係合部の係合を離脱するようにしたことを特徴とする障子の開口部装置が提供される。
【０００７】
また、本発明によれば、上記カムアームのカム孔は、シュウが移動する際カムアームを回動させずにシュウを移動できるようシュウの移動方向に沿って開口する直線部と、カムアームの回動を許容するよう弧状に開口する円弧部を有し、上記シュウ側係合部は鈎状に形成され、障子側係合部はピン状に形成されている上記障子の開口部装置が提供される。
【発明の効果】
【０００８】
本発明は、上記のように、操作ハンドルと該操作ハンドルにより回動するクランクを有するハンドル装置が枠体側に設けられ、このハンドル装置側にはカム孔を有するカムアームの基端が枢着されている。該カムアームには、障子側アームの一端が枢着され、該障子側アームの他端は障子に枢着されている。そして、枠体側にはシュウが摺動可能に嵌合するガイドトラックが設けられ、該シュウの一端側には、上記クランクに設けた長孔とカムアームのカム孔に連通する連結軸が設けられている。また、上記シュウの他端側にはシュウ側係合部が設けられ、障子側アームの先端には障子側係合部が設けられている。上記の構成により、クランクとカムアームとシュウは、連結軸により連結されているので、上記操作ハンドルを操作すると連動して動き、クランク及びカムアームが回動すると、カムアームを介して障子側アームが回動し、障子を枠体側に引き寄せて閉鎖位置にしたり、枠体側から離して開放位置に移動させることができる。この移動に伴ってシュウも移動するから、障子が閉鎖位置に移動する際シュウの移動により上記シュウ側係合部が障子側係合部に係合する方向に移動して両者が係合して施錠され、障子を開放する際シュウが逆方向に移動してシュウ側係合部が障子側係合部から離れる方向に移動し、解錠することができる。上記のように、摺動箇所は、枠体側に設けるガイドトラック部分だけであるので、構成が簡単で障子と枠体の調整も容易である。また、シュウ側係合部がシュウに設けられ、障子側係合部は障子側アームに設けられているので、組立時に係合状態の調整をすることができ、現場での作業が簡単である。
【０００９】
また、上記カムアームのカム孔は、シュウが移動する際、カムアームを回動させずにシュウを移動できるようシュウの移動方向に沿って開口する直線部と、該直線部に続いてカムアームの回動を許容するよう弧状に開口する円弧部を含んでいるので、連結軸がカム孔の円弧部に位置しているときは、カムアームがスムーズに回動して障子を開閉でき、直線部に位置しているときは、カムアームが回動せずに連結軸が直線部を運動してシュウを円滑に移動させることができるから、シュウ側係合部を障子側係合部に確実に係合、離脱させて施錠、解錠させることができる。
【図面の簡単な説明】
【００１０】
【図１】本発明の一実施例を示し、障子が開放されているときの平面図。
【図２】障子が開放されているときの一部を側面からみた説明図。
【図３】障子が閉鎖されているときの平面図。
【図４】障子が閉鎖されているときの一部を側面からみた説明図。
【図５】障子を開放したときの全体の構成を示す斜視図。
【図６】カムアームの斜視図。
【発明を実施するための形態】
【００１１】
障子１は、公知のように横枠３、縦枠４で開口部を形成した枠体２にヒンジ（図示略）により開閉可能に取り付けられており、障子１の戸先側と枠体２の間に本発明の開口部装置が設けられている。実施例では、障子１の上框を枠体２にヒンジで連結した突き出し窓（図示略）について説明するが、縦開き窓、横開き窓その他の窓に適用することもできる。
【００１２】
図１〜図５を参照し、枠体２の横枠（下枠）には、開口部装置を構成するハンドル装置５が取り付けられる。該ハンドル装置５は、枠体に取り付けられるケース６内に回動軸７が設けられ、該回動軸７の室内側には、回動軸７を回動させるための操作ハンドル８が取り付けられている。該操作ハンドル８はケース６の前面とフラットになるように倒伏状態に収納可能であり、好ましくは押しボタン９を押したときにポップアップ式にケース６の前面から一端が飛び出すようにばね（図示略）で付勢されている。上記回動軸７の出力側にはクランク１０が固着され、該クランク１０の先部には長孔１１が設けられている。
【００１３】
上記ハンドル装置５のケース６の側面には、好ましくは断面コ字状の枠体側ブラケット１２が固着されており、該枠体側ブラケット１２の下片１３にはカムアーム１４の基端が軸１５により枢着されている。なお、枠体側ブラケット１２を用いずに、ケース６の側面等に適宜の突片を設けてカムアーム１４を枢着してもよい（図示略）。該カムアーム１４には、障子１の開口幅と施解錠時の動作長さを規制するようカム孔１６が形成されている。該カム孔１６は、上記枢着軸１５側から弧状に開口する円弧部１７と、該円弧部１７の一端に連続する直線部１８を有する。該円弧部１７は、山側縁１９と谷側縁２０で囲まれ、これらの縁部が交わる一端側が障子の開き側終端部２１となる。上記円弧部１７と直線部１８が交わる部分２２は、円弧部１７の入口となり、直線部１８に沿った部分は障子が閉じた位置となる。直線部１８は、後記するシュウ２３のスライド方向に沿って延びており、直線部１８の先端２４は、シュウ２３を移動して障子を開放する際の直線運動の開始部となる。
【００１４】
上記カムアーム１４の中間部には、障子側アーム２５の一端が軸２６で枢着されている。この枢着部分は、障子１に開口部装置を組み込んだり、掃除やメンテナンスの際に障子側アーム２５を着脱して障子１を自由に開閉できることが好ましい。図に示す実施例では、障子側アーム２５に、上記軸２６に脱着できるよう側方に開口する切欠溝２７を設け、この切欠溝２７の開口部側に臨んで突出する爪片２８と、障子側アーム２５の他側面側に臨んで突出する爪片２９を有するロックプレート３０を形成し、該ロックプレート３０を障子アーム２５の裏面に、軸３１により枢着し、枢着部分に適宜の板ばねやウエーブワッシャー（図示略）を挟着して空回りしないようにしてある。着脱する際は、ロックプレート３０を回動させて、切欠溝２７の開口部を塞いでいる爪片２８を開口部から後退させればよい。
【００１５】
上記障子側アーム２５の先端には、障子１の框に障子側アーム２５を取り付けるための取付ブラケット３２が軸３３により枢着されている。この取付ブラケット３２は起立部３４と平面部３５を有する略Ｌ字状に形成され、起立部３４には、取付孔３６が設けられ、平面部３５に上記障子側アーム２５が枢着されている。上記軸３３の裏面側には障子側係合部３７が形成されている。図５に示す実施例では、障子側係合部３７は、円柱のピン状に形成され、その先端には抜け出し防止用の拡大頭部３８が設けられている。
【００１６】
ガイドトラック３９は、図１に示す実施例では上記枠体２の下枠に沿って延びるよう端部に設けた取付孔４０を通して適宜のねじにより枠体２に固定される。ガイドトラック３９の上縁に設けたフランジ４１により形成される差込溝４２には上記シュウ２３が摺動可能に嵌合されている。このシュウ２３の一端は、上記クランク１０の先端近くまで延び、該クランク１０の長孔１１とカムアーム１４のカム孔１６に連通する連結軸４３が固定されている。したがって、この連結軸４３によりクランク１０、カムアーム１４及びシュウ２３が連動し、カムアーム１４により障子側アーム２５が回動することになる。上記シュウ２３の他端には、ガイドトラック３９に嵌合する嵌合ブロック４４が設けられ、該嵌合ブロック４４の手前側には、シュウ側係合部４５が設けられている。図５に示す実施例ではシュウ側係合部４５は、板体で鈎状に設けられ、一端外方に爪状の部片４６を設けて略Ｕ溝状に形成され、障子側アーム２５に設けた障子側係合部３７が容易に入り込むよう該部片４６の内方側面を側方に傾斜して傾斜面４７を形成し、溝の開口幅が広がるようにしてある。
【００１７】
上記の構成により、図１に示す障子１の開放位置から、操作ハンドル８を反時計方向に回すと、クランク１０を介して連結軸４３はカム孔１６の円弧部１７の谷側縁２０に摺接してカムアーム１４を反時計方向に回動し、このカムアーム１４の動きにより障子側アーム２５が枠体側２に引き寄せられる。連結軸４３がカムアーム１４のカム孔１６の直線部１８の入口に達すると、障子１は枠体２の横枠３と縦枠４に囲まれた開口部に入り込んで障子の回動は停止する。さらに、クランク１０は回動するが、連結軸４３が直線部１８に入り込んでいるのでカムアーム１４はそれ以上回動せずに、障子１を閉鎖位置に保持する。クランク１０の回動により連結軸４３を介してシュウ２３は図１の左方に移動し、シュウ２３に設けた鈎状のシュウ側係合部４５が、図１の左方に引き寄せられる。このとき、障子１は枠体２の開口部内に位置して停止しており、上記障子側アーム２５の先端に設けたピン状の障子側係合部３７はガイドトラック３９に隣接する場所に移動しているから、該障子側係合部３７の周囲をシュウ側係合部４５の略Ｕ字状の溝が取り囲んで障子を施錠することができる（図３参照）。なお、シュウ側係合部をピン状に設け、障子側係合部を鈎状に設けてもよい。
【００１８】
図３に示す施錠状態で閉鎖されている障子１を開放するには、操作ハンドル８をケース５から出して上述と逆方向（時計方向）に回動する。操作ハンドル８により、クランク１０が時計方向に回動しても、連結軸４３が直線部１８に位置しているときは、カムアーム１４は回動しないが、シュウ２３は、図３において右方にスライドするから、シュウ側係合部４５と障子側係合部３７の係合が外れる。さらにクランク１０が回動すると、連結軸４３はカム孔１６の円弧部１７の山側縁１９に摺接して回動するので、カムアーム１４は押されて時計方向に回動を始め、カムアーム１４の中間部に枢着した障子側アーム２５を介して障子１が押し出され、障子１は開放位置に移動される。
【００１９】
以上のように、本発明においては摺動部は、枠体側に設けるガイドトラックとシュウの部分だけであるので、構成が簡単で調整も容易である。また、障子や枠体に組み込む前に、開口部装置として全体の構成部分が連結されるので、作業性がよく、施錠部分も確実である。
【符号の説明】
【００２０】
１    障子
２    枠体
５    ハンドル装置
８    操作ハンドル
１０  クランク
１１  長孔
１４  カムアーム
１６  カム孔
１７  円弧部
１８  直線部
２３  シュウ
２５  障子側アーム
３０  ロックプレート
３２  取付ブラケット
３７  障子側係合部
３９  ガイドトラック
４３  連結軸
４５  シュウ側係合部
【図１】
2019127691.tif 000003
【図２】
2019127691.tif 000004
【図３】
2019127691.tif 000005
【図４】
2019127691.tif 000006
【図５】
2019127691.tif 000007
【図６】
2019127691.tif 000008